(57)【要約】【課題】在室者に対して予期しない運転の開始を回避する空気調和機を提供することを課題とする。【解決手段】本発明の空気調和機は、ワイヤレスリモコンによる指令又は通信回線を介した携帯端末装置による指令に基づいて空調制御する制御装置と、ワイヤレスリモコンによる指令又は携帯端末装置による指令を受信したことを報知する受信報知装置と、を備え、運転停止中に、携帯端末装置により運転開始の指令を受信すると、受信報知装置が携帯端末装置による指令を受信したことを報知し、その後、受信報知装置による報知が終了した後、所定期間経過後に、運転を開始する。本発明によれば、特に、受信報知装置による報知が終了した後、所定期間経過後に運転を開始するので、受信報知装置による報知終了までに作業者が所定の作業を完了し、その後、所定期間の間に、予期しない運転の開始を十分に回避することができる。【選択図】図２
2014214892.tif 000002
【特許請求の範囲】
【請求項１】
ワイヤレスリモコンによる指令又は通信回線を介した携帯端末装置による指令に基づいて空調制御する制御装置と、
前記ワイヤレスリモコンによる指令又は前記携帯端末装置による指令を受信したことを報知する受信報知装置と、
を備え、
運転停止中に、前記携帯端末装置により運転開始の指令を受信すると、前記受信報知装置が前記携帯端末装置による指令を受信したことを報知し、その後、前記受信報知装置による報知が終了した後、所定期間経過後に、運転を開始する空気調和機。
【請求項２】
請求項１において、
前記ワイヤレスリモコンによる指令又は前記携帯端末装置による指令を受信したことを表示する受信表示装置を備え、
運転停止中に、前記携帯端末装置により運転開始の指令を受信すると、前記受信報知装置が前記携帯端末装置による指令を受信したことを報知し、前記受信表示装置が前記携帯端末装置による指令を受信したことを表示し、その後、前記受信報知装置による報知及び前記受信表示装置による表示が終了した後、所定期間経過後に、運転を開始する空気調和機。
【請求項３】
請求項１において、
前記ワイヤレスリモコンによる指令又は前記携帯端末装置による指令を受信したことを表示する受信表示装置を備え、
運転停止中に、前記携帯端末装置により運転開始の指令を受信すると、前記受信報知装置が前記携帯端末装置による指令を受信したことを報知し、前記受信表示装置が前記携帯端末装置による指令を受信したことを表示し、その後、前記受信報知装置による報知が終了した後、所定期間経過後に、前記受信表示装置による表示を終了させるとともに、運転を開始する空気調和機。
【請求項４】
ワイヤレスリモコンによる指令又は通信回線を介した携帯端末装置による指令に基づいて空調制御する制御装置と、
前記ワイヤレスリモコンによる指令又は前記携帯端末装置による指令を受信したことを表示する受信表示装置と、
を備え、
運転停止中に、前記携帯端末装置により運転開始の指令を受信すると、前記受信表示装置が前記携帯端末装置による指令を受信したことを表示し、その後、前記受信表示装置による表示が終了した後、所定期間経過後に、運転を開始する空気調和機。
【請求項５】
請求項４において、
前記ワイヤレスリモコンによる指令又は前記携帯端末装置による指令を受信したことを報知する受信報知装置を備え、
運転停止中に、前記携帯端末装置により運転開始の指令を受信すると、前記受信表示装置が前記携帯端末装置による指令を受信したことを表示し、前記受信報知装置が前記携帯端末装置による指令を受信したことを報知し、その後、前記受信表示装置による表示が終了した後、所定期間経過後に、前記受信報知装置による報知を終了させるとともに、運転を開始する空気調和機。
【請求項６】
請求項１−３、５の何れかにおいて、
前記携帯端末装置による運転開始の指令を受信すると、前記受信報知装置は前記携帯端末装置による指令を受信したことを、前記ワイヤレスリモコンによる指令を受信した場合と異なる報知音で報知する空気調和機。
【請求項７】
請求項１乃至６の何れかにおいて、
前記携帯端末装置による運転開始の指令により運転を開始した後、再度、前記受信表示装置が前記携帯端末装置による指令を受信したことを表示し、又は、前記受信報知装置が前記携帯端末装置による指令を受信したことを報知する空気調和機。
【請求項８】
請求項１乃至７の何れかにおいて、
前記受信報知装置による報知中又は前記受信表示装置による表示中に、前記ワイヤレスリモコンにより指令を受信すると、前記受信報知装置による報知及び前記受信表示装置による表示を停止し、前記ワイヤレスリモコンによる指令に基づいて空調制御する空気調和機。
【発明の詳細な説明】
【技術分野】
【０００１】
本発明は、インターネット等の通信回線を介した携帯端末装置による指令に基づいて空調制御する空気調和機に関する。
【背景技術】
【０００２】
空気調和機の遠隔操作による制御方式として、特許文献１では、「空気調和機の制御情報を適切に変更することができる空気調和機の制御情報の提供システムを提供する。」ことを開示する。特許文献１のように、ネットワーク及び空気調和機と通信可能な情報端末を利用することによる空気調和機の遠隔操作制御システムが知られている。
【先行技術文献】
【特許文献】
【０００３】
【特許文献１】特開２０１２−２３７４９０号公報
【発明の概要】
【発明が解決しようとする課題】
【０００４】
しかしながら、外出者からの遠隔操作による動作指令に従って空気調和機が即座に運転を開始すると、在室者が空気調和機のメンテナンス等を実施中であった場合に、在室者に対して空気調和機が予期せず運転を開始してしまう可能性がある。
【０００５】
本発明は、在室者に対して予期しない運転の開始を回避する空気調和機を提供することを課題とする。
【課題を解決するための手段】
【０００６】
本発明の空気調和機は、ワイヤレスリモコンによる指令又は通信回線を介した携帯端末装置による指令に基づいて空調制御する制御装置と、ワイヤレスリモコンによる指令又は携帯端末装置による指令を受信したことを報知する受信報知装置と、を備え、運転停止中に、携帯端末装置により運転開始の指令を受信すると、受信報知装置が携帯端末装置による指令を受信したことを報知し、その後、受信報知装置による報知が終了した後、所定期間経過後に、運転を開始する。
【発明の効果】
【０００７】
本発明によれば、運転停止中に、携帯端末装置により運転開始の指令を受信すると、受信報知装置が携帯端末装置による指令を受信したことを報知し、その後、運転を開始するので、在室者に対して予期しない運転の開始を回避することができる。特に、受信報知装置による報知が終了した後、所定期間経過後に運転を開始するので、受信報知装置による報知終了までに作業者が所定の作業を完了し、その後、所定期間の間に、在室者に対して予期しない運転の開始を十分に回避することができる。
【図面の簡単な説明】
【０００８】
【図１】空気調和機の制御装置を示すブロック図
【図２】制御方式のフローチャート
【図３】制御方式のフローチャート
【図４】空気調和機の制御装置を示すブロック図
【発明を実施するための形態】
【０００９】
本実施例の空気調和機は、ワイヤレスリモコンによる指令又は通信回線を介した携帯端末装置による指令に基づいて空調制御する制御装置と、ワイヤレスリモコンによる指令又は携帯端末装置による指令を受信したことを報知する受信報知装置と、ワイヤレスリモコンによる指令又は携帯端末装置による指令を受信したことを表示する受信表示装置と、を備え、運転停止中に、携帯端末装置により運転開始の指令を受信すると、受信報知装置が携帯端末装置による指令を受信したことを報知し、受信表示装置が携帯端末装置による指令を受信したことを表示し、その後、受信報知装置による報知及び受信表示装置による表示が終了した後、所定期間経過後に、運転を開始する。本実施例によれば、運転停止中に、携帯端末装置により運転開始の指令を受信すると、受信報知装置が携帯端末装置による指令を受信したことを報知し、受信表示装置が携帯端末装置による指令を受信したことを表示し、その後、運転を開始するので、在室者に対して予期しない運転の開始を回避することができる。特に、受信報知装置による報知及び受信表示装置による表示が終了した後、所定期間経過後に、運転を開始するので、受信報知装置による報知終了までに作業者が所定の作業を完了し、その後、所定期間の間、余裕を持って、在室者に対して予期しない運転の開始を回避することができる。
【００１０】
本実施例の空気調和機について、図１、図２を用いて詳細に説明する。図１は空気調和機の制御装置を示すブロック図である。室内機制御装置１は、ワイヤレスリモコン指令２による制御と、情報端末による遠隔操作指令３による制御に対応する。また、情報端末は、例えばパソコンや携帯電話等の通信装置であり、ネットワークを介して空気調和機との通信を行い設定状態の確認及び変更が可能である。
【００１１】
図２は制御の処理手順を示すフローチャートである。
【００１２】
情報端末による遠隔操作指令３を受信した場合に行う運転開始までの遅延動作、受信報知装置である受信ブザー４及び受信表示装置であるＬＥＤランプ表示５の出力動作を「ハザード機能」と称する。
【００１３】
遠隔操作によるハザード機能は、受信した動作指令が情報端末による遠隔操作指令３である場合に行う制御である。従って、ステップＳ０において動作指令を受信していない場合は適用範囲外としてフローを終了する。
【００１４】
ワイヤレスリモコンや情報端末を用いた遠隔操作の動作指令があれば、ステップＳ１に進み受信した指令を判定する。ステップＳ１で情報端末による遠隔操作指令３ではなく、ワイヤレスリモコン指令２であった場合はステップＳ７に進み、受信した動作指令に従う。ステップＳ１で情報端末による遠隔操作指令３と判定した場合は、ステップＳ２に進み情報端末による遠隔操作指令３受信時のハザード機能の共通動作として、受信ブザー４及びＬＥＤランプ表示５の実行時間をセットする。本時間中は、ワイヤレスリモコンによる指令受信とは異なる遠隔指令受信時専用の表示を行う。
【００１５】
次にステップＳ３に進み、情報端末による遠隔操作指令３が運転の指令か停止の指令か判定し、停止指令であればステップＳ７に進み、即座に指令に従い動作する。運転指令であればステップＳ４に進み、現在の空気調和機の動作状態を確認する。既に運転中であればステップＳ７に進み、即座に指令に従い動作する。停止中の場合はステップＳ５に進み運転開始の遅延時間をセットする。遅延時間セット後は、ステップＳ６で遅延時間が経過したか判定を行い、遅延時間経過後にステップＳ７にて指令に従い動作（空気調和機の運転）を開始する。
【００１６】
次に、遠隔操作指令によるハザード機能のキャンセル動作について、図３を用いて説明する。図３は、ハザード機能のキャンセル動作に関する制御方式のフローチャートである。
【００１７】
ハザード機能のキャンセル動作は、ワイヤレスリモコン指令２を受信した場合に行う制御である。従って、ステップＳ０においてワイヤレスリモコン指令２の入力が無ければ適用範囲外として終了する。ワイヤレスリモコン指令２があった場合はステップＳ１に進み、現在遠隔操作によるハザード機能を実行しているか判定する。ステップＳ１においてハザード機能を実行中でない場合は、ステップＳ３に進みワイヤレスリモコン指令２に従って動作を行う。ハザード機能を実行中であった場合は、ステップＳ２に進み実行中のハザード機能を全てキャンセルする。ハザード機能キャンセル後、ステップＳ３へ進み、ワイヤレスリモコン指令に従って動作を開始する。
【００１８】
尚、本実施例の空気調和機において、情報端末による遠隔操作指令３を空気調和機へと送信する別体の遠隔操作アダプタ６を備えるようにしてもよい。図４は空気調和機の制御装置と、情報端末による遠隔操作指令３を空気調和機へと送信する遠隔操作アダプタ６の構成を示すブロック図である。遠隔操作アダプタ６は、情報端末による遠隔操作指令３を空気調和機へ送信する報知ブザー７及びランプ表示８によるハザード機能が搭載される。これにより、空気調和機が受信ブザー４とＬＥＤランプ表示のどちらも不可能な状態の場合でも、遠隔操作アダプタ６で報知ブザー７及びランプ表示８によるハザード機能を実行することができる。
【００１９】
本実施例では、受信報知装置及び受信表示装置を備える空気調和機で説明したが、受信報知装置のみを備えるように構成してもよい。具体的には、ワイヤレスリモコンによる指令又は通信回線を介した携帯端末装置による指令に基づいて空調制御する制御装置と、ワイヤレスリモコンによる指令又は携帯端末装置による指令を受信したことを報知する受信報知装置と、を備え、運転停止中に、携帯端末装置により運転開始の指令を受信すると、受信報知装置が携帯端末装置による指令を受信したことを報知し、その後、受信報知装置による報知が終了した後、所定期間経過後に、運転を開始することにより、特に、受信報知装置による報知が終了した後、所定期間経過後に運転を開始するので、受信報知装置による報知終了までに作業者が所定の作業を完了し、その後、所定期間の間に、在室者に対して予期しない運転の開始を十分に回避することができる。
【００２０】
このような空気調和機において、ワイヤレスリモコンによる指令又は携帯端末装置による指令を受信したことを表示する受信表示装置を備え、運転停止中に、携帯端末装置により運転開始の指令を受信すると、受信報知装置が携帯端末装置による指令を受信したことを報知し、受信表示装置が携帯端末装置による指令を受信したことを表示し、その後、受信報知装置による報知及び受信表示装置による表示が終了した後、所定期間経過後に、運転を開始するようにしてもよい。特に、受信報知装置による報知及び受信表示装置による表示が終了した後、所定期間経過後に、運転を開始するので、受信報知装置による報知及び受信表示装置による表示の終了までに作業者が所定の作業を完了し、その後、所定期間の間に、在室者に対して予期しない運転の開始を十分に回避することができる。
【００２１】
また、ワイヤレスリモコンによる指令又は携帯端末装置による指令を受信したことを表示する受信表示装置を備え、運転停止中に、携帯端末装置により運転開始の指令を受信すると、受信報知装置が携帯端末装置による指令を受信したことを報知し、受信表示装置が携帯端末装置による指令を受信したことを表示し、その後、受信報知装置による報知が終了した後、所定期間経過後に、受信表示装置による表示を終了させるとともに、運転を開始するようにしてもよい。特に、受信報知装置による報知が終了した後、所定期間経過後に、受信表示装置による表示を終了させるとともに、運転を開始するようにするので、受信報知装置による報知が終了した後も運転開始まで受信表示装置による表示が継続されるので、在室者に対して予期しない運転の開始を十分に回避することができる。
【００２２】
尚、上記説明では、受信報知装置のみを備えるように構成した例について説明したが、受信表示装置のみを備えるように構成しても同様の効果を得ることができる。
【００２３】
また、上記実施例において、携帯端末装置による運転開始の指令を受信すると、受信報知装置は携帯端末装置による指令を受信したことを、ワイヤレスリモコンによる指令を受信した場合と異なる報知音で報知するようにしてもよい。ワイヤレスリモコンによる指令を受信した場合と異なる報知音で報知するので、携帯端末装置により指令を受信したことを、在室者が明確に把握することができる。
【００２４】
また、携帯端末装置による運転開始の指令により運転を開始した後、再度、受信表示装置が携帯端末装置による指令を受信したことを表示し、又は、受信報知装置が携帯端末装置による指令を受信したことを報知するようにしてもよい。運転開始後であっても、再度、受信表示装置により表示し又は受信報知装置により報知することにより、携帯端末装置により指令を受信したことを、在室者が明確に把握することができる。
【００２５】
また、受信報知装置による報知中又は受信表示装置による表示中に、ワイヤレスリモコンにより指令を受信すると、受信報知装置による報知及び受信表示装置による表示を停止し、ワイヤレスリモコンによる指令に基づいて空調制御するようにしてもよい。携帯端末装置からの指令よりもワイヤレスリモコンからの指令を優先させることにより、在室者の意向を反映させることができる。
【符号の説明】
【００２６】
１…室内機制御装置、２…ワイヤレスリモコン指令、３…情報端末による遠隔操作指令、４…受信ブザー、５…ＬＥＤランプ表示、６…遠隔操作アダプタ、７…報知ブザー、８…ランプ表示
【図１】
2014214892.tif 000003
【図２】
2014214892.tif 000004
【図３】
2014214892.tif 000005
【図４】
2014214892.tif 000006